【事件の表示】
　特許第３０３６５１８号「空気調和機の誤配線検知方法」の請求項１に係る特許に対する特許異議の申立てについて、次のとおり決定する。
【結　論】
　訂正を認める。
　特許第３０３６５１８号の請求項１に係る特許を取り消す。
【理　由】
１、手続の経緯について
　特許第３０３６５１８号に係る発明の出願は、平成１０年７月７日に出願され、平成１２年２月２５日にはその設定登録が、続く平成１２年４月２４日にはその特許公報が発行されたものである。
　これに対し、本件特許異議申立人より、本件請求項１に係る発明について、特許異議の申立期間内である平成１２年９月１８日に特許異議の申立がされ、平成１３年２月１３日には上記請求項１に係る発明に対し、取消理由通知が本件特許権者へ発送され、その指定期間内である平成１３年４月１６日には、本件特許権者より、特許異議意見書及び訂正請求書が提出された。
２、訂正の適否について
（１）訂正の内容
　上記訂正請求は、本件明細書における特許請求の範囲および発明の詳細な説明の記載を、下記訂正事項１〜３のとおりに訂正することを求めるものである。
ａ、訂正事項１
　願書に添付した明細書の特許請求の範囲の欄における請求項１の記載
「【請求項1】室外ファン(4),四方弁(5)および圧縮機(3)を有する室外機(B)と、上記室外ファン(4)と電源(1)との接続をオンオフ制御するための室外ファン用リレー(MR3),上記四方弁(5)と上記電源(1)との接続をオンオフ制御するための四方弁用リレー(MR2),上記圧縮機(3)と上記電源(1)との接続をオンオフ制御するための圧縮機用リレー(MR1)および上記電源(1)から上記圧縮機(3)に入力される入力電流を検出する入力電流検出器(CT)を有する室内機(A)とを備え、上記室外機(B)の接続部(TB)と上記室内機(A)の接続部(TA)とが接続される空気調和機の誤配線検知方法において、運転開始時に上記圧縮機用リレー(MR1)をオンするステップと、上記圧縮機用リレー(MR1)をオンした後、上記入力電流検出器(CT)により上記電源(1)から上記圧縮機(3)に入力されるべき入力電流を検出するステップと、上記入力電流検出器(CT)により検出された上記入力電流が所定電流値以上か否かを判別するステップと、上記入力電流検出器(CT)により検出された上記入力電流が上記所定電流値以上であると判別したとき、上記室内機(A)の接続部(TA)と上記室外機(B)の接続部(TB)との接続が正常であるとする一方、上記入力電流検出器(CT)により検出された上記入力電流が上記所定電流値未満であると判別したとき、誤配線であることを通知するステップとを有することを特徴とする空気調和機の誤配線検知方法。」とあるを、
「【請求項1】室外ファン(4),四方弁(5)および圧縮機(3)を有する室外機(B)と、上記室外ファン(4)と電源(1)との接続をオンオフ制御するための室外ファン用リレー(MR3),上記四方弁(5)と上記電源(1)との接続をオンオフ制御するための四方弁用リレー(MR2),上記圧縮機(3)と上記電源(1)との接続をオンオフ制御するための圧縮機用リレー(MR1)および上記電源(1)から上記圧縮機(3)に入力される入力電流を検出する入力電流検出器(CT)を有する室内機(A)とを備え、上記電源(1)から上記圧縮機(3)に入力される入力電流を検出するように、上記圧縮機用リレー(MR1)と上記室内機(A)の接続部(TA)との間に上記入力電流検出器(CT)が配設され、上記室外機(B)の接続部(TB)と上記室内機(A)の接続部(TA)とが接続される空気調和機の誤配線検知方法であって、運転開始時に上記圧縮機用リレー(MR1)をオンするステップと、上記圧縮機用リレー(MR1)をオンした後、上記入力電流検出器(CT)により上記電源(1)から上記圧縮機(3)に入力されるべき入力電流を検出するステップと、上記入力電流検出器(CT)により検出された上記入力電流が所定電流値以上か否かを判別するステップと、上記入力電流検出器(CT)により検出された上記入力電流が上記所定電流値以上であると判別したとき、上記室内機(A)の接続部(TA)と上記室外機(B)の接続部(TB)との接続が正常であるとする一方、上記入力電流検出器(CT)により検出された上記入力電流が上記所定電流値未満であると判別したとき、誤配線であることを通知するステップとを有することを特徴とする空気調和機の誤配線検知方法。」
と訂正する。
ｂ、訂正事項２
　願書に添付した明細書の発明の詳細な説明の欄における段落番号【０００５】の記載
「【0005】
　【課題を解決するための手段】
　上記目的を達成するため、請求項1の空気調和機の誤配線検知方法は、室外ファン,四方弁および圧縮機を有する室外機と、上記室外ファンと電源との接続をオンオフ制御するための室外ファン用リレー,上記四方弁と上記電源との接続をオンオフ制御するための四方弁用リレー,上記圧縮機と上記電源との接続をオンオフ制御するための圧縮機用リレーおよび上記電源から上記圧縮機に入力される入力電流を検出する入力電流検出器を有する室内機とを備え、上記室外機の接続部と上記室内機の接続部とが接続される空気調和機の誤配線検知方法において、運転開始時に上記圧縮機用リレーをオンするステップと、上記圧縮機用リレーをオンした後、上記入力電流検出器により上記電源から上記圧縮機に入力されるべき入力電流を検出するステップと、上記入力電流検出器により検出された上記入力電流が所定電流値以上か否かを判別するステップと、上記入力電流検出器により検出された上記入力電流が上記所定電流値以上であると判別したとき、上記室内機の接続部と上記室外機の接続部との接続が正常であるとする一方、上記入力電流検出器により検出された上記入力電流が上記所定電流値未満であると判別したとき、誤配線であることを通知するステップとを有することを特徴としている。」
とあるを、
「【0005】
　【課題を解決するための手段】
　上記目的を達成するため、請求項1の空気調和機の誤配線検知方法は、室外ファン,四方弁および圧縮機を有する室外機と、上記室外ファンと電源との接続をオンオフ制御するための室外ファン用リレー,上記四方弁と上記電源との接続をオンオフ制御するための四方弁用リレー,上記圧縮機と上記電源との接続をオンオフ制御するための圧縮機用リレーおよび上記電源から上記圧縮機に入力される入力電流を検出する入力電流検出器を有する室内機とを備え、上記電源から上記圧縮機に入力される入力電流を検出するように、上記圧縮機用リレーと上記室内機の接続部との間に上記入力電流検出器が配設され、上記室外機の接続部と上記室内機の接続部とが接続される空気調和機の誤配線検知方法であって、運転開始時に上記圧縮機用リレーをオンするステップと、上記圧縮機用リレーをオンした後、上記入力電流検出器により上記電源から上記圧縮機に入力されるべき入力電流を検出するステップと、上記入力電流検出器により検出された上記入力電流が所定電流値以上か否かを判別するステップと、上記入力電流検出器により検出された上記入力電流が上記所定電流値以上であると判別したとき、上記室内機の接続部と上記室外機の接続部との接続が正常であるとする一方、上記入力電流検出器により検出された上記入力電流が上記所定電流値未満であると判別したとき、誤配線であることを通知するステップとを有することを特徴としている。」
と訂正する。
ｃ、訂正事項３
　願書に添付した明細書の発明の詳細な説明の欄における段落番号【００２６】の記載
「【0026】
　【発明の効果】
　以上より明らかなように、請求項1の発明の空気調和機の誤配線検知方法は、室外ファン,四方弁および圧縮機を有する室外機と、上記室外ファンと電源との接続をオンオフ制御するための室外ファン用リレー,上記四方弁と上記電源との接続をオンオフ制御するための四方弁用リレー,上記圧縮機と上記電源との接続をオンオフ制御するための圧縮機用リレーおよび上記電源から上記圧縮機に入力される入力電流を検出する入力電流検出器を有する室内機とを備え、上記室外機の接続部と上記室内機の接続部とが接続される空気調和機の誤配線検知方法において、運転開始時に上記圧縮機用リレーをオンした後、上記入力電流検出器により上記電源から圧縮機に入力されるべき入力電流を検出し、上記入力電流検出器により検出された入力電流が所定電流値以上であると判別したとき、上記室内機の接続部と上記室外機の接続部との接続が正常であるとする一方、上記入力電流検出器により検出された入力電流が所定電流値未満であると判別したとき、誤配線であることを通知するものである。」
とあるを、
「【0026】
　【発明の効果】
　以上より明らかなように、請求項1の発明の空気調和機の誤配線検知方法は、室外ファン,四方弁および圧縮機を有する室外機と、上記室外ファンと電源との接続をオンオフ制御するための室外ファン用リレー,上記四方弁と上記電源との接続をオンオフ制御するための四方弁用リレー,上記圧縮機と上記電源との接続をオンオフ制御するための圧縮機用リレーおよび上記電源から上記圧縮機に入力される入力電流を検出する入力電流検出器を有する室内機とを備え、上記電源から圧縮機に入力される入力電流を検出するように、上記圧縮機用リレーと室内機の接続部との間に入力電流検出器が配設され、上記室外機の接続部と上記室内機の接続部とが接続される空気調和機の誤配線検知方法であって、運転開始時に上記圧縮機用リレーをオンした後、上記入力電流検出器により上記電源から圧縮機に入力されるべき入力電流を検出し、上記入力電流検出器により検出された入力電流が所定電流値以上であると判別したとき、上記室内機の接続部と上記室外機の接続部との接続が正常であるとする一方、上記入力電流検出器により検出された入力電流が所定電流値未満であると判別したとき、誤配線であることを通知するものである。」
と訂正する。
（２）訂正の適否
ａ、訂正事項１について
　訂正事項１は、要するに、願書に添付された明細書の段落【０００８】における「上記リレーMR1と端子A1との間に入力電流検出器として電流センサCTを配置している。」および図面第１図の各記載を根拠に、本件請求項１に係る発明における入力電流検出器（ＣＴ）の配置される位置を、訂正前の特に限定のないものから、訂正後の「上記電源(1)から上記圧縮機(3)に入力される入力電流を検出するように、上記圧縮機用リレー(MR1)と上記室内機(A)の接続部(TA)との間に上記入力電流検出器(CT)が配設され」るものに変更し、併せてそれに続く「・・・空気調和機の誤配線検知方法において」との表現を、単に「・・・空気調和機の誤配線検知方法であって」と変更するものであって、特許請求の範囲の減縮に該当し、実質上特許請求の範囲を拡張、変更するものではなく、いわゆる新規事項を含むものでもない。
ｂ、訂正事項２について
　訂正事項２は、上述のように訂正事項１において特許請求の範囲の請求項１が変更されたことに伴い、同変更と整合をはかるべく、願書に添付された明細書の【課題を解決するための手段】を単にそれに合わせて変更するものであって、不明瞭な記載の釈明に該当し、実質上特許請求の範囲を拡張、変更するものではなく、新規事項を含むものでもない。
ｃ、訂正事項３について
　訂正事項３は、上述のように訂正事項１において特許請求の範囲の請求項１が変更されたことに伴い、同変更と整合をはかるべく、願書に添付された明細書の【発明の効果】における入力電流検出器（ＣＴ）の配置に関する記載を、単にそれに合わせて変更するものであって、不明瞭な記載の釈明に該当し、実質上特許請求の範囲を拡張、変更するものではなく、新規事項を含むものでもない。
（３）訂正の適否についての結論
　以上のとおり、上記訂正事項１〜訂正事項３による訂正は、いずれも特許法第１２０条の４第２項または同条第３項で準用する同法第１２６条第２項から第４項の規定に適合しているので、当該訂正を認める。
３、取消理由についての検討
（１）本件特許の発明
　本件上記訂正請求は、上述のごとく適法なものであるので、本件特許の請求項１に係る発明は、下記のとおりのものである。
「【請求項１】室外ファン(４),四方弁(５)および圧縮機(３)を有する室外機(Ｂ)と、上記室外ファン(４)と電源(１)との接続をオンオフ制御するための室外ファン用リレー(ＭＲ３),上記四方弁(５)と上記電源(１)との接続をオンオフ制御するための四方弁用リレー(ＭＲ２),上記圧縮機(３)と上記電源(１)との接続をオンオフ制御するための圧縮機用リレー(ＭＲ１)および上記電源(１)から上記圧縮機(３)に入力される入力電流を検出する入力電流検出器(ＣＴ)を有する室内機(Ａ)とを備え、上記電源（１）から上記圧縮機（３）に入力される入力電流を検出するように、上記圧縮機用リレー（ＭＲ１）と上記室内機（Ａ）の接続部（ＴＡ）との間に上記入力電流検出器（ＣＴ）が配設され、上記室外機(Ｂ)の接続部(ＴＢ)と上記室内機(Ａ)の接続部(ＴＡ)とが接続される空気調和機の誤配線検知方法であって、運転開始時に上記圧縮機用リレー(ＭＲ１)をオンするステップと、上記圧縮機用リレー(ＭＲ１)をオンした後、上記入力電流検出器(ＣＴ)により上記電源(１)から上記圧縮機(３)に入力されるべき入力電流を検出するステップと、上記入力電流検出器(ＣＴ)により検出された上記入力電流が所定電流値以上か否かを判別するステップと、上記入力電流検出器(ＣＴ)により検出された上記入力電流が上記所定電流値以上であると判別したとき、上記室内機(Ａ)の接続部(ＴＡ)と上記室外機(Ｂ)の接続部(ＴＢ)との接続が正常であるとする一方、上記入力電流検出器(ＣＴ)により検出された上記入力電流が上記所定電流値未満であると判別したとき、誤配線であることを通知するステップとを有することを特徴とする空気調和機の誤配線検知方法。」
（２）引用刊行物の記載
　前記取消理由通知に引用された刊行物である特開平４−３１３６３３号公報には、同刊行物記載の「空気調和機」について、
「【０００１】
【産業上の利用分野】この発明は空調機の室内機と室外機を接続する内外接続電線の誤配線検出に関するものである。」（段落【０００１】）こと、 
「【実施例】実施例１．
以下この発明のー実施例を図１〜６について説明する。図１はこの発明による空気調和機の一実施例の全体構成図である。この実施例は図１から明かなように、室外ユニット２に設けられた圧縮機９等の電流を検出する室内ユニット１に設けられた電流検出手段である電流検出回路３と、空気調和機の電源が投入されてからー回目の運転要求が出された時室外ユニット２に通電される前に所定時間圧縮機９のみに通電する圧縮機通電手段９１と、その時の圧縮機に流れる電流を電流検出回路３で検出し、予め定められた負荷電流の基準値と比較する電流比較手段９３と、この電流比較手段９３の出力に基づいて室内ユニット１と室外ユニット２を接続する内外接続電線１８の誤配線を検出し、誤配線検出時に異常表示を行なうと異常表示手段９４と、誤配線検出時に室外ユニット２に対する給電を停止する異常停止手段９５を設けたものである。
【００１３】図２は図１の実施例の回路図である。図中４は室外ユニット２内部にある圧縮機９をＯＮ、ＯＦＦする圧縮機用リレ一、７は同じく室外ユニット２内部の四方弁１０をＯＮ、ＯＦＦする四方弁用リレー、８は室外ファン１１をＯＮ、ＯＦＦする室外ファン用リレー、９は圧縮機、１０は四方弁、１１は室外ファンである。１５は室内マイコン、１８は室内ユニット１と室外ユニット２を電気的に接続する内外接続電線、１９は本体電源スイッチで、これがＯＮされることで本体に元電源投入されることになる。２３は空調機の異常を検出した時にその異常を表示するＬＥＤ回路である。」（段落【００１２】〜【００１３】）こと、
「【００１５】図２において、本体電源スイッチ１９がＯＮされてから、一回目の空調機の運転要求があった時に、空調のために室外機に電源供給する直前に、ある一定時間だけ圧縮機用リレー４のみを〇Ｎして圧縮機９に通電する手段を採る。圧縮機９に通電することにより、圧縮機９の負荷電流が生じるので、その負荷電流を電流検出回路３によつて検出し、電圧に変換して室内マイコン１５に入力する。・・・（中略）・・・室内マイコン１５に入力される電圧値は室内マイコン１５内部でサンプリングされ、入力電圧の最大値、つまり圧縮機９の負荷電流の最大値をあらかじめ定められた電流値の基準値と比較し、その結果によって室内ユニット１と室外ユニット２を接続する内外接続電線１８が正常であるか、或いは誤配線であるのかを判断する。あらかじめ定められた電流値の基準値は、誤配線により圧縮機用リレー４がＯＮされた時に四方弁１０或いは室外ファン１１に通電されて負荷電流が生じても、それが圧縮機９の負荷電流ではないと判断できるよう四方弁１０或いは室外ファン１１の負荷電流値よりも大きく、また圧縮機９が最も軽負荷で運転する場合の負荷電流より小さい電流値と定めておく様にすれば、基準値よりも大きい電流値であれば正常、小さい電流値であれば誤配線と判断することが出来る。正常時には圧縮機９の起動時の負荷電流が、電流値の基準値と比較されることなるので、十分基準値を越え、逆に誤配線時には、例え室外ファン１１や四方弁１０の負荷電流が生じても基準値を越えることが出来ないため、誤配線異常となって異常表示される。」（段落【００１５】抜粋）こと、および
「【００１６】以上の動作は、すべて室内マイコン１５内部のプログラムによるものでありそのフローチャートを図６に示す。図において、ステップ６１では室外マイコン１５がパワーＯＮリセットされてからー回目の運転要求があるかどうかを確認しており、運転要求がない場合は他の制御に移り、運転要求があった場合はステップ６２へと進む．ステップ６２では、運転要求に対して室外ユニット２に通電して良いかどうかを確認しており、ここで通電禁止の場合は許可がでるまで待機し、通電して良い場合はステップ６３へと進んで誤配線検出のための圧縮機用リレー４をＯＮする。ステップ６４では圧縮機用リレーの圧縮機の起動が完了するまでのＯＮ時間を確保するためにタイマーカウントしており、ステップ６５で負荷電流のサンプリングを行う。ステップ６６では今回サンプリングした電流値と前回サンプリングしたときの電流値を比較しており今回サンプリングした電流値のほうが大きい場合はステップ６７へと進み、前回サンプリングした電流値の方が大きい場合はステップ６８へと進む。最終的に負荷電流の最大値と電流の基準値とを比較して判断するので、ステップ６７で、今までのサンプリングで最も大きい値を保持しておく。ステップ６８では圧縮機用リレー４のＯＮ時間が終了したかどうかを聞いており、タイマアップしていればステップ６９に進んで圧縮機用リレー４をＯＦＦし、まだタイマアップしていなければ、電流のサンプリングを続けるためにステップ６４へと戻る。ステップ６９で圧縮機用リレー４を０ＦＦしたら、ステップ７０でサンプリングされた負荷電流の最大値と、あらかじめ定められている電流の基準値とを比較しており、サンプリングされた負荷電流の最大値の方が大きい場合は通常運転を行うために、室外ユニット２に対する空調運転のための通電を行い、基準値の方が大きい場合は、内外接続電線１８の誤配線であるとして、ステップ７１へと進んで、異常表示出力を行う。」（段落【００１６】抜粋）
ことが、その図面とともに記載されている。
　したがって、上記引用刊行物には、上述の記載からみて、本件請求項１に係る発明に対応し、下記の発明が記載されていると云える。
「室外ファン(１１),四方弁(１０)および圧縮機(９)を有する室外ユニット(２)と、上記室外ファン(１１)と電源との接続をオンオフするための室外ファン用リレー(８),上記四方弁(１０)と上記電源との接続をオンオフする四方弁用リレー(７),上記圧縮機(９)と上記電源との接続をオンオフする圧縮機用リレー(４)および上記電源から上記圧縮機（９）に入力される入力電流をサンプリングする電流検出回路（３）を有する室内ユニット（１）とを備え、上記電源から上記圧縮機（９）に入力される入力電流をサンプリングするよう、室外ファン(１１),四方弁(１０)および圧縮機(９)の共通接続点と上記電源の間に電流検出回路（３）が配設され、上記室外ユニット(２)の接続部と上記室内ユニット(１)の接続部とが接続される空気調和機の誤配線検知方法であって、空気調和機の電源が投入されてから一回目の運転要求が出された時上記圧縮機用リレー(４)をオンするステップ（６３）と、上記圧縮機用リレー(４)をオンした後、上記電流検出回路(３)により上記電源から上記圧縮機(９)に入力されるべき電流値をサンプリングするステップ（６４〜６８）と、上記電流検出回路(３)によりサンプリングされた上記電流値が基準値以上か否かを判別するステップ（７０）と、上記電流検出回路(３)によりサンプリングされた上記電流値が上記基準値以上であると判別したとき、上記室内ユニット(１)の接続部と上記室外ユニット(２)の接続部との接続が正常であるとする一方、上記電流検出回路(３)によりサンプリングされた上記電流値が上記基準値未満であると判別したとき、誤配線であることを通知するステップ（７１）とを有する空気調和機の誤配線検知方法。」
（３）対比・判断
　本件請求項１に係る発明（前者）と上記引用刊行物に記載された発明（後者）とを対比すると、後者におけるそれぞれ、「室外ファン(１１)」、「四方弁(１０)」、「圧縮機(９)」、「室外ユニット(２)」、「電源」、「オンオフ」、「室外ファン用リレー(８)」、「四方弁用リレー(７)」、「圧縮機用リレー(４)」、「電流検出回路(３)」、「室内ユニット(１)」、「室外ユニット(２)の接続部」、「室内ユニット(１)の接続部」、「空気調和機の電源が投入されてから一回目の運転要求が出された時」、「圧縮機用リレー(４)をオンするステップ（６３）」、「電流値をサンプリングするステップ（６４〜６８）」、「サンプリングされた上記電流値が基準値以上か否かを判別するステップ（７０）」、「サンプリングされた上記電流値が上記基準値以上であると判別したとき」、「サンプリングされた上記電流値が上記基準値未満であると判別したとき」および「誤配線であることを通知するステップ（７１）」は、前者における「室外フアン（４）」、「四方弁（５）」、「圧縮機（３）」、「室外機（Ｂ）」、「電源（１）」、「オンオフ制御」、「室外フアン用リレー（ＭＲ３）」、「四方弁用リレー（ＭＲ２）」、「圧縮機用リレー（ＭＲ１）」、「入力電流検出器（ＣＴ）」、「室内機（Ａ）」、「室外機（Ｂ）の接続部（ＴＢ）」、「室内機（Ａ）の接続部（ＴＡ）」、「運転開始時」、「圧縮機用リレー（ＭＲ１）をオンするステップ」、「入力電流を検出するステップ」、「検出された上記入力電流が所定電流値以上か否かを判別するステップ」、「検出された上記入力電流が所定電流値以上であると判別したとき」、「検出された上記入力電流が所定電流値未満であると判別したとき」および「誤配線であることを通知するステップ」にそれぞれ相当することが明らかであるから、結局、両者は、
「 室外ファン(４),四方弁(５)および圧縮機(３)を有する室外機(Ｂ)と、上記室外ファン(４)と電源(１)との接続をオンオフ制御するための室外ファン用リレー(ＭＲ３),上記四方弁(５)と上記電源(１)との接続をオンオフ制御するための四方弁用リレー(ＭＲ２),上記圧縮機(３)と上記電源(１)との接続をオンオフ制御するための圧縮機用リレー(ＭＲ１)および上記電源(１)から上記圧縮機(３)に入力される入力電流を検出する入力電流検出器(ＣＴ)を有する室内機(Ａ)とを備え、上記電源（１）から上記圧縮機（３）に入力される入力電流を検出するように、入力電流検出器（ＣＴ）が配設され、上記室外機(Ｂ)の接続部(ＴＢ)と上記室内機(Ａ)の接続部(ＴＡ)とが接続される空気調和機の誤配線検知方法であって、運転開始時に上記圧縮機用リレー(ＭＲ１)をオンするステップと、上記圧縮機用リレー(ＭＲ１)をオンした後、上記入力電流検出器(ＣＴ)により上記電源(１)から上記圧縮機(３)に入力されるべき入力電流を検出するステップと、上記入力電流検出器(ＣＴ)により検出された上記入力電流が所定電流値以上か否かを判別するステップと、上記入力電流検出器(ＣＴ)により検出された上記入力電流が上記所定電流値以上であると判別したとき、上記室内機(Ａ)の接続部(ＴＡ)と上記室外機(Ｂ)の接続部(ＴＢ)との接続が正常であるとする一方、上記入力電流検出器(ＣＴ)により検出された上記入力電流が上記所定電流値未満であると判別したとき、誤配線であることを通知するステップとを有することを特徴とする空気調和機の誤配線検知方法。 」
である点で一致し、後者は、その入力電流検出器（ＣＴ）が「室外ファン(１１),四方弁(１０)および圧縮機(９)の共通接続点と上記電源の間に配置され」ているのに対し、前者は、それが「上記圧縮機用リレー（ＭＲ１）と上記室内機（Ａ）の接続部（ＴＡ）との間に」配設されている点で相違している。
　したがって、次にこの相違点について検討すると、前述のごとく上記引用刊行物に、同引用刊行物記載の圧縮機通電手段９１が「空気調和機の電源が投入されてから一回目の運転要求が出された時室外ユニット２に通電される前に所定時間圧縮機９のみに通電する」（段落［００１２］抜粋）であること、同引用刊行物記載の図２の説明において、「本体電源スイッチ１９がＯＮされてから、一回目の空調機の運転要求があった時に、空調のために室外機に電源供給する直前に、ある一定時間だけ圧縮機リレー４のみをＯＮして圧縮機９に通電する手段を採る」（段落【００１５】抜粋）ことが記載されていること、および、入力電流検出器を圧縮機用リレーと室内機の接続部との間に配設することに、格別の阻害要因がないことからみて（例えば、本件特許異議申立に引用された甲第３号証（特開平８−２００９００号公報）の従来の技術にもそのような配設の例が示されている）、入力電流検出器（ＣＴ）を室外ファン(１１),四方弁(１０)および圧縮機(９)の共通接続点と上記電源の間に配置するか、或いは、本件請求項１に係る発明のようにするかは、入力電流の検出結果に相違を生ずるものとは云えず、当業者にとって設計上の選択事項に過ぎないものである。
　なお、平成１３年４月１６日付け特許権者の意見書における「本件請求項１の発明は、『圧縮機用リレーと室内機の接続部との間に配設された入力電流検出器により電源から圧縮機に入力されるべき入力電流を検出する』という構成によって、『入力電流検出器で検出された入力電流により室内機と室外機間の誤配線検出ができるとともに、室内機内の室外フアン用リレー，四方弁用リレーおよび圧縮機用リレーに接続される制御信号線の誤配線の判別が可能となる』という作用，効果を奏します。」（同意見書第５頁第１６〜２１行）との主張のうち、本件請求項１の発明では、『室内機内の室外フアン用リレー，四方弁用リレーおよび圧縮機用リレーに接続される制御信号線の誤配線の判別が可能となる』との主張は、本件請求項１における「上記室外機(B)の接続部(TB)と上記室内機(A)の接続部(TA)とが接続される空気調和機の誤配線検知方法であって」および「上記入力電流検出器(CT)により検出された上記入力電流が上記所定電流値以上であると判別したとき、上記室内機(A)の接続部(TA)と上記室外機(B)の接続部(TB)との接続が正常であるとする一方、上記入力電流検出器(CT)により検出された上記入力電流が上記所定電流値未満であると判別したとき、誤配線であることを通知する」との記載からみて、本件請求項の記載に基づかない、本件請求項に係る発明とは関係のない主張であるばかりか、本件明細書または図面にも示唆されていない、根拠のないものである。
４、むすび
　以上のとおり、本件請求項１に係る発明は、上記刊行物１に記載された発明に基づいて当業者が容易に発明をすることができたものであるから、本件上記請求項に係る発明は、特許法第２９条第２項の規定に違反して特許されたものであって、同法第１１３条第２号に該当し、取り消されるべきものである。
　よって、上記結論のとおり決定する。
【異議決定日】
平成１３年５月２８日（２００１．５．２８）
【訂正の要旨】
　訂正の要旨
　本件訂正請求は、本件明細書における特許請求の範囲および発明の詳細な説明の記載を、下記訂正事項１〜３のとおりに訂正することを求めるものである。
ａ、訂正事項１
　願書に添付した明細書の特許請求の範囲の欄における請求項１の記載
「【請求項１】室外ファン（４），四方弁（５）および圧縮機（３）を有する室外機（Ｂ）と、上記室外ファン（４）と電源（１）との接続をオンオフ制御するための室外ファン用リレー（ＭＲ３），上記四方弁（５）と上記電源（１）との接続をオンオフ制御するための四方弁用リレー（ＭＲ２），上記圧縮機（３）と上記電源（１）との接続をオンオフ制御するための圧縮機用リレー（ＭＲ１）および上記電源（１）から上記圧縮機（３）に入力される入力電流を検出する入力電流検出器（ＣＴ）を有する室内機（Ａ）とを備え、上記室外機（Ｂ）の接続部（ＴＢ）と上記室内機（Ａ）の接続部（ＴＡ）とが接続される空気調和機の誤配線検知方法において、運転開始時に上記圧縮機用リレー（ＭＲ１）をオンするステップと、上記圧縮機用リレー（ＭＲ１）をオンした後、上記入力電流検出器（ＣＴ）により上記電源（１）から上記圧縮機（３）に入力されるべき入力電流を検出するステップと、上記入力電流検出器（ＣＴ）により検出された上記入力電流が所定電流値以上か否かを判別するステップと、上記入力電流検出器（ＣＴ）により検出された上記入力電流が上記所定電流値以上であると判別したとき、上記室内機（Ａ）の接続部（ＴＡ）と上記室外機（Ｂ）の接続部（ＴＢ）との接続が正常であるとする一方、上記入力電流検出器（ＣＴ）により検出された上記入力電流が上記所定電流値未満であると判別したとき、誤配線であることを通知するステップとを有することを特徴とする空気調和機の誤配線検知方法。」とあるを、
「【請求項１】室外ファン（４），四方弁（５）および圧縮機（３）を有する室外機（Ｂ）と、上記室外ファン（４）と電源（１）との接続をオンオフ制御するための室外ファン用リレー（ＭＲ３），上記四方弁（５）と上記電源（１）との接続をオンオフ制御するための四方弁用リレー（ＭＲ２），上記圧縮機（３）と上記電源（１）との接続をオンオフ制御するための圧縮機用リレー（ＭＲ１）および上記電源（１）から上記圧縮機（３）に入力される入力電流を検出する入力電流検出器（ＣＴ）を有する室内機（Ａ）とを備え、上記電源（１）から上記圧縮機（３）に入力される入力電流を検出するように、上記圧縮機用リレー（ＭＲ１）と上記室内機（Ａ）の接続部（ＴＡ）との間に上記入力電流検出器（ＣＴ）が配設され、上記室外機（Ｂ）の接続部（ＴＢ）と上記室内機（Ａ）の接続部（ＴＡ）とが接続される空気調和機の誤配線検知方法であって、運転開始時に上記圧縮機用リレー（ＭＲ１）をオンするステップと、上記圧縮機用リレー（ＭＲ１）をオンした後、上記入力電流検出器（ＣＴ）により上記電源（１）から上記圧縮機（３）に入力されるべき入力電流を検出するステップと、上記入力電流検出器（ＣＴ）により検出された上記入力電流が所定電流値以上か否かを判別するステップと、上記入力電流検出器（ＣＴ）により検出された上記入力電流が上記所定電流値以上であると判別したとき、上記室内機（Ａ）の接続部（ＴＡ）と上記室外機（Ｂ）の接続部（ＴＢ）との接続が正常であるとする一方、上記入力電流検出器（ＣＴ）により検出された上記入力電流が上記所定電流値未満であると判別したとき、誤配線であることを通知するステップとを有することを特徴とする空気調和機の誤配線検知方法。」
と訂正する。
ｂ、訂正事項２
　願書に添付した明細書の発明の詳細な説明の欄における段落番号【０００５】の記載
「【０００５】
　【課題を解決するための手段】
　上記目的を達成するため、請求項１の空気調和機の誤配線検知方法は、室外ファン，四方弁および圧縮機を有する室外機と、上記室外ファンと電源との接続をオンオフ制御するための室外ファン用リレー，上記四方弁と上記電源との接続をオンオフ制御するための四方弁用リレー，上記圧縮機と上記電源との接続をオンオフ制御するための圧縮機用リレーおよび上記電源から上記圧縮機に入力される入力電流を検出する入力電流検出器を有する室内機とを備え、上記室外機の接続部と上記室内機の接続部とが接続される空気調和機の誤配線検知方法において、運転開始時に上記圧縮機用リレーをオンするステップと、上記圧縮機用リレーをオンした後、上記入力電流検出器により上記電源から上記圧縮機に入力されるべき入力電流を検出するステップと、上記入力電流検出器により検出された上記入力電流が所定電流値以上か否かを判別するステップと、上記入力電流検出器により検出された上記入力電流が上記所定電流値以上であると判別したとき、上記室内機の接続部と上記室外機の接続部との接続が正常であるとする一方、上記入力電流検出器により検出された上記入力電流が上記所定電流値未満であると判別したとき、誤配線であることを通知するステップとを有することを特徴としている。」
とあるを、
「【０００５】
　【課題を解決するための手段】
　上記目的を達成するため、請求項１の空気調和機の誤配線検知方法は、室外ファン，四方弁および圧縮機を有する室外機と、上記室外ファンと電源との接続をオンオフ制御するための室外ファン用リレー，上記四方弁と上記電源との接続をオンオフ制御するための四方弁用リレー，上記圧縮機と上記電源との接続をオンオフ制御するための圧縮機用リレーおよび上記電源から上記圧縮機に入力される入力電流を検出する入力電流検出器を有する室内機とを備え、上記電源から上記圧縮機に入力される入力電流を検出するように、上記圧縮機用リレーと上記室内機の接続部との間に上記入力電流検出器が配設され、上記室外機の接続部と上記室内機の接続部とが接続される空気調和機の誤配線検知方法であって、運転開始時に上記圧縮機用リレーをオンするステップと、上記圧縮機用リレーをオンした後、上記入力電流検出器により上記電源から上記圧縮機に入力されるべき入力電流を検出するステップと、上記入力電流検出器により検出された上記入力電流が所定電流値以上か否かを判別するステップと、上記入力電流検出器により検出された上記入力電流が上記所定電流値以上であると判別したとき、上記室内機の接続部と上記室外機の接続部との接続が正常であるとする一方、上記入力電流検出器により検出された上記入力電流が上記所定電流値未満であると判別したとき、誤配線であることを通知するステップとを有することを特徴としている。」
と訂正する。
ｃ、訂正事項３
　願書に添付した明細書の発明の詳細な説明の欄における段落番号【００２６】の記載
「【００２６】
　【発明の効果】
　以上より明らかなように、請求項１の発明の空気調和機の誤配線検知方法は、室外ファン，四方弁および圧縮機を有する室外機と、上記室外ファンと電源との接続をオンオフ制御するための室外ファン用リレー，上記四方弁と上記電源との接続をオンオフ制御するための四方弁用リレー，上記圧縮機と上記電源との接続をオンオフ制御するための圧縮機用リレーおよび上記電源から上記圧縮機に入力される入力電流を検出する入力電流検出器を有する室内機とを備え、上記室外機の接続部と上記室内機の接続部とが接続される空気調和機の誤配線検知方法において、運転開始時に上記圧縮機用リレーをオンした後、上記入力電流検出器により上記電源から圧縮機に入力されるべき入力電流を検出し、上記入力電流検出器により検出された入力電流が所定電流値以上であると判別したとき、上記室内機の接続部と上記室外機の接続部との接続が正常であるとする一方、上記入力電流検出器により検出された入力電流が所定電流値未満であると判別したとき、誤配線であることを通知するものである。」
とあるを、
「【００２６】
　【発明の効果】
　以上より明らかなように、請求項１の発明の空気調和機の誤配線検知方法は、室外ファン，四方弁および圧縮機を有する室外機と、上記室外ファンと電源との接続をオンオフ制御するための室外ファン用リレー，上記四方弁と上記電源との接続をオンオフ制御するための四方弁用リレー，上記圧縮機と上記電源との接続をオンオフ制御するための圧縮機用リレーおよび上記電源から上記圧縮機に入力される入力電流を検出する入力電流検出器を有する室内機とを備え、上記電源から圧縮機に入力される入力電流を検出するように、上記圧縮機用リレーと室内機の接続部との間に入力電流検出器が配設され、上記室外機の接続部と上記室内機の接続部とが接続される空気調和機の誤配線検知方法であって、運転開始時に上記圧縮機用リレーをオンした後、上記入力電流検出器により上記電源から圧縮機に入力されるべき入力電流を検出し、上記入力電流検出器により検出された入力電流が所定電流値以上であると判別したとき、上記室内機の接続部と上記室外機の接続部との接続が正常であるとする一方、上記入力電流検出器により検出された入力電流が所定電流値未満であると判別したとき、誤配線であることを通知するものである。」
と訂正する。
（５４）【発明の名称】
空気調和機の誤配線検知方法
（５７）【特許請求の範囲】
　【請求項１】　室外ファン（４），四方弁（５）および圧縮機（３）を有する室外機（Ｂ）と、上記室外ファン（４）と電源（１）との接続をオンオフ制御するための室外ファン用リレー（ＭＲ３），上記四方弁（５）と上記電源（１）との接続をオンオフ制御するための四方弁用リレー（ＭＲ２），上記圧縮機（３）と上記電源（１）との接続をオンオフ制御するための圧縮機用リレー（ＭＲ１）および上記電源（１）から上記圧縮機（３）に入力される入力電流を検出する入力電流検出器（ＣＴ）を有する室内機（Ａ）とを備え、
上記電源（１）から上記圧縮機（３）に入力される入力電流を検出するように、上記圧縮機用リレー（ＭＲ１）と上記室内機（Ａ）の接続部（ＴＡ）との間に上記入力電流検出器（ＣＴ）が配設され、
であって
　運転開始時に上記圧縮機用リレー（ＭＲ１）をオンするステップと、
　上記圧縮機用リレー（ＭＲ１）をオンした後、上記入力電流検出器（ＣＴ）により上記電源（１）から上記圧縮機（３）に入力されるべき入力電流を検出するステップと、
　上記入力電流検出器（ＣＴ）により検出された上記入力電流が所定電流値以上か否かを判別するステップと、
　上記入力電流検出器（ＣＴ）により検出された上記入力電流が上記所定電流値以上であると判別したとき、上記室内機（Ａ）の接続部（ＴＡ）と上記室外機（Ｂ）の接続部（ＴＢ）との接続が正常であるとする一方、上記入力電流検出器（ＣＴ）により検出された上記入力電流が上記所定電流値未満であると判別したとき、誤配線であることを通知するステップとを有することを特徴とする空気調和機の誤配線検知方法。
【発明の詳細な説明】
　【０００１】
　【発明の属する技術分野】
　この発明は、室内機と室外機とを有する空気調和機の誤配線検知方法に関する。
　【０００２】
　【従来の技術】
　従来より、室内機と室外機とを４線式の連絡配線で接続された空気調和機では、室外機に制御部が搭載されておらず、室内機の制御部からの制御指令（リレーのオンオフ）によって、室外機の圧縮機，四方弁および室外ファンに電源から電力を供給して運転を行う。
　【０００３】
　【発明が解決しようとする課題】
　ところが、上記空気調和機では、据え付け時に連絡配線が誤って配線されたまま運転を開始すると、四方弁用リレーや室外ファン用リレーにより圧縮機と電源とが接続されてリレーに過電流が流れる場合があるため、部品が破損して製品の機能に支障をきたすという問題がある。
　【０００４】
　そこで、この発明の目的は、作業性よく誤配線を検知して作業者に通知すると共に、部品の破損を防いで信頼性を向上できる空気調和機の誤配線検知方法を提供することにある。
　【０００５】
　【課題を解決するための手段】
　上記目的を達成するため、請求項１の空気調和機の誤配線検知方法は、室外ファン，四方弁および圧縮機を有する室外機と、上記室外ファンと電源との接続をオンオフ制御するための室外ファン用リレー，上記四方弁と上記電源との接続をオンオフ制御するための四方弁用リレー，上記圧縮機と上記電源との接続をオンオフ制御するための圧縮機用リレーおよび上記電源から上記圧縮機に入力される入力電流を検出する入力電流検出器を有する室内機とを備え、
上記電源から上記圧縮機に入力される入力電流を検出するように、上記圧縮機用リレーと上記室内機の接続部との間に上記入力電流検出器が配設され、
であって
　【０００６】
　上記請求項１の空気調和機の誤配線検知方法によれば、据え付け時または移設時に上記室外機の接続部と上記室内機の接続部とを接続して、試運転を行う場合、まず、上記圧縮機用リレーをオンした後、上記入力電流検出器により上記電源から上記
圧縮機に入力されるべき
　【０００７】
　【発明の実施の形態】
　以下、この発明の空気調和機の誤配線検知方法を図示の実施の形態により詳細に説明する。
　【０００８】
　図１はこの発明の実施の一形態の空気調和機の誤配線検知方法が用いられる空気調和機の室内機Ａと室外機Ｂとの要部の概略回路図である。図１に示すように、上記室内機Ａは、圧縮機用リレーＭＲ１，四方弁用リレーＭＲ２および室外ファン用リレーＭＲ３を有し、電源１の一端に圧縮機用リレーＭＲ１を介して接続部ＴＡの端子Ａ１に接続している。上記リレーＭＲ１と端子Ａ１との間に入力電流検出器としての電流センサＣＴを配置している。また、上記電源１の他端を接続部ＴＡの端子Ａ２に接続している。そして、上記電源１の一端にヒューズ２の一端を接続し、ヒューズ２の他端を室外ファン用リレーＭＲ３を介して接続部ＴＡの端子Ａ３に接続すると共に、ヒューズ２の他端を四方弁用リレーＭＲ２を介して接続部ＴＡの端子Ａ４に接続している。また、上記室内機Ａは、マイクロコンピュータと入出力回路等からなる制御装置１０を備えている。上記制御装置１０は、入力電流判別部１０ａと、異常通知部１０ｂと、電流値判定遅延タイマｔ１と、上記圧縮機用リレーＭＲ１のオン時間タイマｔ２および再運転タイマｔ３とを有している。
　【０００９】
　一方、上記室外機Ｂは、圧縮機３，室外ファン４および四方弁５を有し、接続部ＴＢの端子Ｂ１に圧縮機３の一端を接続し、その圧縮機３の他端を接続部ＴＢの端子Ｂ２に接続している。上記接続部ＴＢの端子Ｂ２に室外ファン４の一端を接続し、室外ファン４の他端を接続部ＴＢの端子Ｂ３に接続している。また、接続部ＴＢの端子Ｂ２に四方弁５の一端を接続し、四方弁５の他端を接続部ＴＢの端子Ｂ４に接続している。
　【００１０】
　上記空気調和機の据え付け時に室内機Ａの接続部ＴＡと室外機Ｂの接続部ＴＢとを接続する場合、接続する端子の対応はＡ１−Ｂ１，Ａ２−Ｂ２，Ａ３−Ｂ３，Ａ４−Ｂ４となるが、接続間違いにより、
Ａ１−Ｂ３
Ａ３−Ｂ１
　【００１１】
　まず、上記空気調和機の電源が投入されると、ステップＳ１で最初の運転か否かを判別して、最初の運転である場合はステップＳ２に進む。
　【００１２】
　次に、ステップＳ２で誤配線検知処理を行う。
　【００１３】
　上記誤配線検知処理がスタートすると、図４のステップＳ１１に進み、電流値判定遅延タイマｔ１をスタートし、圧縮機用リレーＭＲ１のオン時間タイマｔ２をスタートする。
　【００１４】
　次に、ステップＳ１２に進み、圧縮機用リレーＭＲ１をオンする。
　【００１５】
　次に、ステップＳ１３で電流センサＣＴにより入力電流を検出する。
　【００１６】
　次に、ステップＳ１４に進み、入力電流値をＩＧＨに設定する。
　【００１７】
　次に、ステップＳ１５に進み、タイマｔ１が終了したか否かを判別して、タイマｔ１が終了したと判別すると、ステップＳ１６に進む一方、タイマｔ１が終了していない場合は、ステップＳ１３に戻り、ステップＳ１３〜Ｓ１５を繰り返す。
　【００１８】
　次に、ステップＳ１６で入力電流判別部１０ａにより入力電流値ＩＧＨが所定電流値ＩＧＭ以上か否かを判別して、入力電流値ＩＧＨが所定電流値ＩＧＭ以上の場合は、ステップＳ１７に進み、正常配線とする。
　【００１９】
　次に、ステップＳ１８に進み、タイマｔ２が終了したか否かを判別して、タイマｔ２が終了したと判別すると、ステップＳ１９に進む一方、タイマｔ２が終了していない場合は、ステップＳ１８を繰り返す。
　【００２０】
　次に、ステップＳ１９で圧縮機用リレーＭＲ１をオフする。
　【００２１】
　一方、ステップＳ１６で入力電流値ＩＧＨが所定電流値ＩＧＭ未満の場合は、ステップＳ２０に進み、誤配線とする。なお、上記所定電流値ＩＧＭは、室外ファン４または四方弁５と電源１とが接続されたときに電流センサＣＴにより検出される入力電流よりも大きく、かつ、圧縮機３と電源１とが接続されたときに電流センサＣＴにより検出される入力電流よりも小さい値に設定する。
　【００２２】
　そして、誤配線検知処理を終わると、図３に示すステップＳ３に進み、誤配線検知処理の結果が誤配線か否かを判別して、誤配線でないと判別すると、ステップＳ４に進む一方、誤配線であると判別すると、ステップＳ７に進み、異常通知部１０ｂにより異常通知を行う。
　【００２３】
　次に、ステップＳ４で再運転タイマｔ３をスタートし、ステップＳ５に進み、タイマｔ３が終了したか否かを判別する。そして、ステップＳ５でタイマｔ３が終了したと判別すると、ステップＳ６に進み、通常運転の処理を行う。なお、ステップＳ１で最初の運転でないと判別すると、ステップＳ６に進み、通常運転を行う。
　【００２４】
　このように、上記空気調和機の据え付け後または移設後に、電源投入した後の最初の運転であるときは、圧縮機用リレーＭＲ１をオンして、圧縮機３が動作するか否かを入力電流によって判別する。図１では、上記圧縮機用リレーＭＲ１をオンすると、誤配線のために圧縮機３と電源１とを接続せず、室外ファン４と電源１とを接続することになるので、電流センサＣＴにより検出される入力電流は、室外ファン４に流れる電流となる。したがって、上記室外ファン４に流れる電流は、圧縮機３に流れる電流に比べて小さく、誤配線であることを検知するのである。
　【００２５】
　上記空気調和機の据え付け時、室内機Ａの接続部ＴＡと室外機Ｂの接続部ＴＢとを、図５に示す２芯のＶＶＦ（ビニル絶縁ビニルシースケーブル平型）ケーブル３１，３２を２本使用して接続する。このとき、図５に示すように、２本のＶＶＦケーブル３１，３２が交差したり、各ＶＶＦケーブル３１，３２の芯線が入れ違ったりして、誤った配線を行う場合がある。そのようなとき、据え付け後の最初の試運転時に必ず上述の後配線検知を行って、作業者に誤配線であることを通知し、電源をリセットしない限り運転を行わないようにする。そうすることによって、作業性よく誤配線を検出して作業者に通知すると共に、部品の破損を防いで信頼性を向上することができる。また、上記空気調和機では、従来の回路と同様の構成で制御装置１０の制御ソフトウェアのみを変更すればよく、コストが高くならない。また、据え付け後または移設後の最初の電源投入時に誤配線検知処理を行うが、その後、電源を切らない間は、誤配線検知処理を行わないので、後の運転では立ち上がりが誤配線検知処理によって遅くなることがない。
　【００２６】
　【発明の効果】
　以上より明らかなように、請求項１の発明の空気調和機の誤配線検知方法は、室外ファン，四方弁および圧縮機を有する室外機と、上記室外ファンと電源との接続をオンオフ制御するための室外ファン用リレー，上記四方弁と上記電源との接続をオンオフ制御するための四方弁用リレー，上記圧縮機と上記電源との接続をオンオフ制御するための圧縮機用リレーおよび上記電源から上記圧縮機に入力される入力電流を検出する入力電流検出器を有する室内機とを備え、
上記電源から圧縮機に入力される入力電流を検出するように、上記圧縮機用リレーと室内機の接続部との間に入力電流検出器が配設され、
であって
　【００２７】
　したがって、請求項１の発明の空気調和機の誤配線検知方法によれば、上記所定電流値を四方弁や室外ファンが動作するときの入力電流よりも大きく、かつ、上記圧縮機が動作するときの入力電流よりも小さい値に設定することによって、上記入力電流検出器により検出された入力電流が所定電流値以上のとき、上記室内機の接続部と室外機の接続部との接続が正常であるとする一方、入力電流検出器により検出された入力電流が所定電流値未満のとき、誤配線であることを検知する。したがって、作業性よく誤配線を検出して作業者に通知すると共に、部品の破損を防いで信頼性を向上することができる。
【図面の簡単な説明】
　【図１】　図１はこの発明の実施の一形態の空気調和機の誤配線検知方法を説明するための室内機および室外機の要部の概略回路図である。
　【図２】　図２は上記空気調和機の誤配線検知処理のタイミングを示す図である。
　【図３】　図３は上記空気調和機の電源投入時の動作を示すフローチャートである。
　【図４】　図４は図３における誤配線検知処理の動作を示すフローチャートである。
　【図５】　図５は上記空気調和機の室内機と室外機とを接続する接続配線の概略図である。
　【符号の説明】
　１…電源、
　２…ヒューズ、
　３…圧縮機、
　４…室外ファン、
　５…四方弁、
　ＭＲ１…圧縮機用リレー、
　ＭＲ２…四方弁用リレー、
　ＭＲ３…室外ファン用リレー、
　ＴＡ，ＴＢ…接続部。